【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
複数の秤量部と、
薬品又は薬品の包装材から薬品識別情報を読み取る情報読取部と、
前記情報読取部によって読み取られる前記薬品識別情報に対応付ける一又は複数の前記秤量部を特定する秤量特定部と、
前記情報読取部によって前記薬品識別情報が読み取られると、前記薬品識別情報に対応する秤量部として前記秤量特定部で特定された一又は複数の前記秤量部の秤量結果と処方データとの照合処理を開始する照合処理部と、
を備える鑑査支援装置。
【請求項２】
前記照合処理部が、前記情報読取部によって前記薬品識別情報が読み取られるごとに前記照合処理を開始する、
請求項１に記載の鑑査支援装置。
【請求項３】
前記秤量特定部が、前記情報読取部による前記薬品識別情報の読み取り後に秤量値が０から増加した一又は複数の前記秤量部を前記薬品識別情報に対応付ける秤量部として特定する請求項１又は２に記載の鑑査支援装置。
【請求項４】
前記秤量特定部が、前記情報読取部による前記薬品識別情報の読み取り後、前記情報読取部により異なる前記薬品識別情報が読み取られるまでの間に秤量値が０から増加した一又は複数の前記秤量部を前記薬品識別情報に対応付ける秤量部として特定する請求項３に記載の鑑査支援装置。
【請求項５】
前記処方データが、同一用法単位の処方データである請求項１〜４のいずれかに記載の鑑査支援装置。
【請求項６】
前記照合処理部が、前記情報読取部で読み取られる薬袋に記載された処方識別情報に基づいて鑑査対象の前記処方データを取得可能である請求項５に記載の鑑査支援装置。
【請求項７】
前記照合処理部が、ユーザー操作に応じて複数の前記処方データから鑑査対象の前記処方データを選択可能である請求項１〜６のいずれかに記載の鑑査支援装置。
【請求項８】
表示部と、
前記秤量部各々に対応する秤量表示領域を前記秤量部各々と同じ配列で前記表示部に表示させると共に、前記秤量部による秤量結果及び前記照合処理部による照合結果を前記秤量表示領域に表示させる表示処理部と、
を備える請求項１〜７のいずれかに記載の鑑査支援装置。
【請求項９】
薬品の種類ごとに予め定められた単位量当たりの重量を取得する単位重量取得部と、前記秤量部による秤量結果を前記単位重量取得部によって取得された前記単位量当たりの重量に基づいて予め定められた単位に換算する単位換算処理部と、を備え、
前記表示処理部が、前記単位換算処理部によって換算された前記秤量結果を前記秤量表示領域に表示させる請求項８に記載の鑑査支援装置。
【請求項１０】
前記照合処理部が、前記単位換算処理部によって換算された前記秤量結果と前記処方データとを照合する請求項９に記載の鑑査支援装置。
【請求項１１】
前記鑑査支援装置に対して開閉可能に設けられ、前記表示部を支持するカバー部材を備える請求項８〜１０のいずれかに記載の鑑査支援装置。
【請求項１２】
前記カバー部材が、前記鑑査支援装置に対して回動支持部により回動可能に支持され、
前記表示部が、前記カバー部材の閉鎖時に表示面が前記秤量部に対向する姿勢で前記カバー部材に支持されている請求項１１に記載の鑑査支援装置。
【請求項１３】
複数の前記秤量部に亘って載置可能な拡張載置部を備え、
前記照合処理部が、前記拡張載置部が載置された複数の前記秤量部による秤量結果の合計と前記処方データとを照合可能である請求項８〜１２のいずれかに記載の鑑査支援装置。
【請求項１４】
前記表示処理部が、複数の前記秤量表示領域に代えて前記拡張載置部に対応する拡張秤量表示領域を表示すると共に、前記照合処理部の照合結果を前記拡張秤量表示領域に表示する請求項１３に記載の鑑査支援装置。
【請求項１５】
前記処方データに処方薬品として含まれる一種類又は複数種類の薬品のうち予め特定された目視鑑査対象薬品に対応する薬品名称、薬品画像、及び処方量を表示させると共に、予め定められた確認操作に応じて前記目視鑑査対象薬品の鑑査を完了させる目視鑑査処理部を備える請求項８〜１４のいずれかに記載の鑑査支援装置。
【請求項１６】
前記処方データに処方薬品として含まれる全ての薬品について前記照合処理部による照合又は前記目視鑑査処理部による鑑査完了が行われた場合に前記処方データの鑑査完了を通知する鑑査完了通知部を備える請求項１５に記載の鑑査支援装置。
【請求項１７】
前記秤量部を撮影可能な撮影部と、
前記撮影部による撮影画像を記録する撮影処理部と、
を備える請求項８〜１６のいずれかに記載の鑑査支援装置。
【請求項１８】
前記撮影処理部が、全ての前記秤量部による秤量値が確定した場合、前記処方データに含まれる全ての薬品について前記照合処理部による照合が終了した場合、又は予め定められた撮影操作が行われた場合に、前記撮影部による撮影画像を記録する請求項１７に記載の鑑査支援装置。
【請求項１９】
前記撮影処理部が、全ての前記秤量部による秤量値が確定した場合、前記処方データに含まれる全ての薬品について前記照合処理部による照合が終了した場合、又は予め定められた撮影操作が行われた場合に、前記表示部に撮影開始の旨を表示させた後、予め定められた待機時間が経過してから前記撮影部に前記秤量部を撮影させる請求項１８に記載の鑑査支援装置。
【請求項２０】
複数の前記秤量部の外側に連続的又は断続的に形成された目印線が前記鑑査支援装置に設けられており、
前記撮影処理部が、前記撮影部による撮影画像において前記目印線を遮蔽する遮蔽物が存在しないことを条件に前記撮影部による撮影画像を記録する請求項１８又は１９に記載の鑑査支援装置。
【請求項２１】
前記撮影処理部が、前記撮影部による撮影画像において前記目印線を遮蔽する遮蔽物の長さ又は面積が予め定められた閾値未満であることを条件に前記撮影部による撮影画像を記録する請求項２０に記載の鑑査支援装置。
【請求項２２】
前記秤量部に設けられる秤量皿又は複数の前記秤量部に亘って載置される拡張載置部に前記目印線の一部又は全部が形成されている２０又は２１に記載の鑑査支援装置。
【請求項２３】
相互に離間する複数の補正指標部が前記鑑査支援装置に設けられており、
前記撮影処理部が、前記撮影部による撮影画像に存在する複数の前記補正指標部に基づいて前記撮影部による撮影画像の台形補正を実行する請求項１７〜２２のいずれかに記載
の鑑査支援装置。
【請求項２４】
前記撮影部が、全ての前記秤量部を同時に撮影可能である請求項１７〜２３のいずれかに記載の鑑査支援装置。
【請求項２５】
複数の秤量部と薬品又は薬品の包装材から薬品識別情報を読み取る情報読取部とを備える鑑査支援装置における鑑査支援方法であって、
前記情報読取部によって読み取られる前記薬品識別情報に対応付ける一又は複数の前記秤量部を特定する秤量特定ステップと、
前記情報読取部によって前記薬品識別情報が読み取られると、前記薬品識別情報に対応する秤量部として前記秤量特定ステップで特定された一又は複数の前記秤量部の秤量結果と処方データとの照合処理を開始する照合処理ステップと、
を備える鑑査支援方法。
【請求項２６】
複数の秤量部と薬品又は薬品の包装材から薬品識別情報を読み取る情報読取部とを備える鑑査支援装置の制御部に、
前記情報読取部によって読み取られる前記薬品識別情報に対応付ける一又は複数の前記秤量部を特定する秤量特定ステップと、
前記情報読取部によって前記薬品識別情報が読み取られると、前記薬品識別情報に対応する秤量部として前記秤量特定ステップで特定された一又は複数の前記秤量部の秤量結果と処方データとの照合処理を開始する照合処理ステップと、
を実行させるための鑑査支援プログラム。
【請求項２７】
複数の秤量部と、
前記秤量部各々による秤量結果と処方データとに基づいて前記秤量部各々に対応付ける薬品識別情報を特定する第２秤量特定部と、
薬品又は薬品の包装材から薬品識別情報を読み取る情報読取部と、
前記秤量部による秤量結果の確定後に前記情報読取部により前記薬品識別情報が読み取られた場合に前記第２秤量特定部により特定された前記薬品識別情報の鑑査を完了させる鑑査完了処理部と、
を備える鑑査支援装置。
【請求項２８】
薬品の種類ごとに予め定められた単位量当たりの重量を取得する単位重量取得部を更に備え、
前記第２秤量特定部が、前記処方データに含まれる薬品の数量を前記単位重量取得部により取得される前記薬品の単位重量に基づいて換算した前記薬品の重量と一致又は最も近似する前記秤量結果が得られた前記秤量部と前記薬品の前記薬品識別情報とを対応付ける請求項２７に記載の鑑査支援装置。
【請求項２９】
薬品の種類ごとに予め定められた単位量当たりの重量を取得する単位重量取得部を更に備え、
前記第２秤量特定部が、薬品の秤量値を前記単位重量取得部により取得される前記薬品の単位重量に基づいて換算した前記薬品の数量が前記処方データに含まれる薬品の数量と一致又は最も近似する前記秤量結果が得られた前記秤量部と前記薬品の前記薬品識別情報とを対応付ける請求項２７に記載の鑑査支援装置。
【請求項３０】
複数の秤量部と薬品又は薬品の包装材から薬品識別情報を読み取る情報読取部とを備える鑑査支援装置における鑑査支援方法であって、
前記秤量部各々による秤量結果と処方データとに基づいて前記秤量部各々に対応付ける薬品識別情報を特定する第２秤量特定ステップと、
前記秤量部による秤量結果の確定後に前記情報読取部により前記薬品識別情報が読み取られた場合に前記第２秤量特定ステップにより特定された前記薬品識別情報の鑑査を完了させる鑑査完了ステップと、
を備える鑑査支援方法。
【請求項３１】
複数の秤量部と薬品又は薬品の包装材から薬品識別情報を読み取る情報読取部とを備える鑑査支援装置の制御部に、
前記秤量部各々による秤量結果と処方データとに基づいて前記秤量部各々に対応付ける薬品識別情報を特定する第２秤量特定ステップと、
前記秤量部による秤量結果の確定後に前記情報読取部により前記薬品識別情報が読み取られた場合に前記第２秤量特定ステップにより特定された前記薬品識別情報の鑑査を完了させる鑑査完了ステップと、
を実行させるための鑑査支援プログラム。
【手続補正２】
【補正対象書類名】明細書
【補正対象項目名】発明の名称
【補正方法】変更
【補正の内容】
【発明の名称】鑑査支援装置、鑑査支援方法、鑑査支援プログラム